(57)【要約】【解決課題】  製造及び取付けの容易な、スリーブ保護用の緩衝用筒状部材及び雄型継手部材挿入口から異物が内部に入らないようにする閉塞部材を備えた雌型継手部材を提供する。【解決手段】  操作スリーブ３０の外周に固定された緩衝用筒状部材４０と、雌型継手部材１２の雄型継手部材挿入口４４を開放可能に閉塞する閉塞部材４６と、緩衝用筒状部材１２と閉塞部材４６とを連結し、閉塞部材を、緩衝用筒状部材に連結した状態で、雄型継手部材挿入口４４に対して閉塞・閉塞解除できるようにする連結部材４２とを有する。連結部材４２は、閉塞部材４６を緩衝用筒状部材４０に対して枢動可能に取り付ける。【選択図】図１
2006170346.tif 000002
【特許請求の範囲】
【請求項１】
雄型継手部材を受け入れる雌型継手部材と、該雌型継手部材の外周に可動に取り付けられ当該雌型継手部材に挿入される雄型継手部材の固定・固定解除操作用の操作スリーブとを有する、管継手における雌型継手部材であって、
操作スリーブの外周に固定された緩衝用筒状部材と、
前記雌型継手部材の雄型継手部材挿入口を開放可能に閉塞する閉塞部材と、
緩衝用筒状部材と閉塞部材とを連結し、閉塞部材を、緩衝用筒状部材に連結した状態で、雄型継手部材挿入口に対して閉塞・閉塞解除できるようにする連結部材と
を有することを特徴とする雌型継手部材。
【請求項２】
前記緩衝用筒状部材が、前記操作スリーブの前端よりも前方に延び、
前記閉塞部材が、該操作スリーブの前端開口に嵌合されて、前記雄型継手部材挿入口を閉塞するようにした
ことを特徴とする請求項１に記載の雌型継手部材。
【請求項３】
前記閉塞部材が前記周壁部分の端面よりも直径の大きい円盤状部分、及び、前記雄型継手部材挿入口に嵌合される部分を有する
ことを特徴とする請求項１に記載の雌型継手部材。
【請求項４】
前記連結部材が、前記閉塞部材を前記緩衝用筒状部材に対して枢動可能に連結するようにしたことを特徴とする請求項１乃至３のいずれかに記載の雌型継手部材。
【請求項５】
前記操作スリーブを軸線方向後方に変位させることにより、前記緩衝用筒状部材が前記周壁部分の端面及び前記閉塞部材に対して相対的に軸線方向後方へ変位されるとともに、前記閉塞部材が前記周壁部分の端面によって軸線後方への変位を阻止されることにより、該閉塞部材が該緩衝用筒状部材に対して枢動して前記雄型継手部材挿入口の閉塞を解除するようにしたことを特徴とする請求項４に記載の雌型継手部材。
【発明の詳細な説明】
【技術分野】
【０００１】
本発明は、雄型継手部材と雌型継手部材とからなる管継手の雌型継手部材、例えば、施錠ボールを備え、挿入された雄型継手部材に対して施錠ボールを係合・係合解除することにより当該雄型継手部材の固定連結・連結解除をするようにした雌型継手部材に関する。
【背景技術】
【０００２】
上記形式の雌型継手部材では、通常、施錠ボールを雄型継手部材に対して係合させたり係合解除させたりするための操作スリーブが外周に設けられている。
【０００３】
雌型継手部材を雄型継手部材に接続するときに、作業者が雌型継手部材をコンクリート床に落としてしまったり、周囲の硬質の機器にぶつけてしまったりすることがあり、そのような機器に損傷を与えたり、また、雌型継手部材自体に損傷が生じたりする虞がある。特に、上記のような操作スリーブが設けられているものにおいては、該操作スリーブへの損傷が生じやすい。このため、操作スリーブの外周に緩衝用の筒状部材を設けて、その保護を図るようにした雌型継手部材が種々開発されている（特許文献１〜３）。
【０００４】
また、雄型継手部材が接続されていない時に、該挿入口から異物が入り込まないように雄型継手部材挿入口を閉塞する保護キャップを、細長い紐状部材で当該雌型継手部材に取り付け、該保護キャップを該紐状部材により雌型継手部材に取り付けた状態のまま、雄型継手部材挿入口に対して嵌合したり外したりできるようにした雌型継手部材が開発されている。（特許文献４）
【特許文献１】特開２０００−２１３６７３
【特許文献２】実開昭５８−４０６８６
【特許文献３】実開平６−１０６９６
【特許文献４】実開昭５５−７２６６０
【発明の開示】
【発明が解決しようとする課題】
【０００５】
従来、上述の如き緩衝用筒状部材及び保護キャップは、それぞれ別々に用意され、雌型継手部材にそれぞれ別々に取り付けられるようになっている。
また、保護キャップが取り付けられている雌型継手部材では、雄型継手部材を連結する場合に、先ず、保護キャップを外すという作業が必要となる。
本発明は、このような点に鑑み、緩衝用筒状部材及び保護キャップの製造及び雌型継手部材への取付をより容易にすることができ、また、雄型継手部材を挿入連結する場合に、保護キャップをより容易に外すことができるようにした雌型継手部材を提供することを目的としている。
【課題を解決するための手段】
【０００６】
即ち、本発明は、
雄型継手部材を受け入れる雌型継手部材と、該雌型継手部材の外周に可動に取り付けられ当該雌型継手部材に対して挿入される雄型継手部材の固定・固定解除操作用の操作スリーブとを有する、管継手における雌型継手部材であって、
操作スリーブの外周に固定された緩衝用筒状部材と、
前記雌型継手部材の雄型継手部材挿入口を開放可能に閉塞する閉塞部材と、
緩衝用筒状部材と閉塞部材とを連結し、閉塞部材を、緩衝用筒状部材に連結した状態で、雄型継手部材挿入口に対して閉塞・閉塞解除できるようにする連結部材と
を有することを特徴とする雌型継手部材を提供する。
【０００７】
具体的には、
前記緩衝用筒状部材が、前記操作スリーブの前端よりも前方に延び、
前記閉塞部材が、該操作スリーブの前端開口に嵌合されて、前記雄型継手部材挿入口を閉塞するようにすることができる。
【０００８】
また、別の具体例では、
前記閉塞部材が前記周壁部分の端面に当接する円盤状部分、及び、前記雄型継手部材挿入口に嵌合される部分を有する。
【０００９】
前記連結部材は、前記閉塞部材を前記緩衝用筒状部材に対して枢動可能に連結するようにすることが好ましい。
【００１０】
連結部材をその様に構成して、操作スリーブを軸線方向後方に変位させることにより、前記緩衝用筒状部材を前記周壁部分の端面及び前記閉塞部材に対して相対的に軸線方向後方へ変位させるとともに、閉塞部材が前記周壁部分の端面によって軸線後方への変位を阻止されるようにすることにより、該閉塞部材が該緩衝用筒状部材に対して枢動して前記雄型継手部材挿入口の閉塞を解除するようにすることができる。
【発明の効果】
【００１１】
本発明に係る雌型継手部材においては、緩衝用筒状部材と保護キャップとを上述のように構成するものであり、それらを一体的に成形することが可能となり、製造、取付けが従来のものに比べて容易になる。
【００１２】
更に、雄型継手部材を挿入する際に操作スリーブを後方へ動かすことが必要な形式のものにおいては、雄型継手部材挿入のために操作スリーブを動かすだけで、保護キャップを外すことが可能となり、雄型継手部材の接続操作が容易になる。
【発明を実施するための最良の形態】
【００１３】
以下、本発明に係る雌型継手部材の実施形態を添付図面に基づき説明する。
図１は、雄型継手部材１０を連結していない状態の本発明に係る雌型継手部材１２の縦断面図であり、図２は、雄型継手部材を連結するために雌型継手部材の操作スリーブ３０を後退させた状態を示す縦断面図であり、図３は雄型継手部材が連結された状態の雌型継手部材の縦断面図であり、図４は図１の雌型継手部材の右端面図である。
【００１４】
図示のように、本発明に係る雌型継手部材１２は、パイプ等の導管Ｐが接続される第１筒状部分１８と該第１筒状部材１８にネジ固定された第２筒状部材２０からなる筒状の雌型本体２２を有する。第２筒状部材２０にはその前端近くに半径方向で貫通する半径方向孔が周方向で所定間隔あけて複数設けられており、各半径方向孔内には施錠ボール２４が半径方向で変位可能に設けられている。該施錠ボール２４は、図３に示すように当該雌型継手部材１２内に挿入される雄型継手部材１０の外周面に形成された環状の係合凹部２６に嵌合することにより、該雄型継手部材１０を挿入位置に固定する。第２筒状部材２０の外周面には当該雌型継手部材の軸線方向で変位可能とされた操作スリーブ３０が設定されており、図１及び図３に示す位置においては施錠ボール２４を半径方向内側に押圧し、図２に示す位置においては施錠ボール２４が半径方向外側に変位することができるようにする。すなわち、雄型継手部材１０を挿入するときには、操作スリーブ３０を図１の位置から図２の位置に後方へ動かした状態で、雄型継手部材１０を挿入し、雄型継手部材１０が図３の位置まで挿入された時点で、操作スリーブ３０を前方へ戻すことにより、施錠ボール２４を雄型継手部材の係合凹部２６に押圧し、該雄型継手部材を固定する。
【００１５】
図中、３２は操作スリーブ３０を前方へ付勢するコイルバネであり、また、３４は雌型継手部材１２内の流体通路の開閉を行うための弁体である。該弁体３４はコイルバネ３６によって前方に付勢されており、弁座３８に押圧されて流体通路を閉じており、雄型継手部材１０が挿入されると、該雄型継手部材によって後方へ変位され、弁座３８から離れて流体通路を開放するようになっている。
【００１６】
操作スリーブ３０の外周面には、緩衝用筒状部材４０が固定されており、該緩衝用筒状部材４０には、連結部材４２を介して、当該雌型継手部材１２の雄型継手部材挿入口４４を閉塞するための閉塞部材４６が連結されている。すなわち、連結部材４２は細長いストリップ状に形成されており、その一端が環状用筒状部材４０の前端に一体成形され、他端が閉塞部材４６に一体成形されている。連結部材４２は、その長さ方向中央部分に湾曲部分４２−１を有しており、閉塞部材４６は、この湾曲部分を中心に図１に示す閉塞位置と図３に示す開放位置との間で枢動するようになっている。
【００１７】
図示の例では、緩衝用筒状部材４０は、操作スリーブ３０の前端よりも前方へ延出しており、閉鎖部材４６は該緩衝用筒状部材４０の前端開口４０−１内に嵌合する円盤状とされている。閉鎖部材４６は、図１の閉鎖位置において雌型継手部材１２の雄型継手部材挿入口４４内に嵌合する環状の突起部分４６−１を有している。
【００１８】
図示の雌型継手部材１２に対して、雄型継手部材１０を連結する場合には、操作スリーブ３０を後方へ動かして、施錠ボール２４が半径方向外側に変位可能とする。操作スリーブ３０をそのように動かすと、該操作スリーブ３０の外周面に固定されている緩衝用筒状部材４０も後方へ動かされるが、閉鎖部材４６は、第２筒状部材２０の端面と係合して後方への変位は阻止され、図２に示す如く連結部材４２の湾曲部分４２−１を中心として枢動し、雄型継手部材挿入口４４を閉止する位置（図１）から外されるようになる。従って、作業者は、雄型継手部材１０の端部で該閉鎖部材４６を更に開いて、該雄型継手部材を雌型継手部材１２内に挿入すればよい。作業者が操作スリーブ３０を手から離せば、該操作スリーブはコイルバネ３２によって図３の位置に戻り、施錠ボール２４を雄型継手部材１０の外周面に形成した環状凹部２６に押圧嵌合し、それによって、該雄型継手部材は雌型継手部材に固定されることになる。
【００１９】
なお、図示の例では、閉塞部材４６の、連結部材４２の端部が一体成形されている側とは直径方向で反対側の位置に、摘み突起４６−２が形成されており、作業者は該摘み突起を摘んで当該閉鎖部材４６を閉鎖位置から外すようにすることも可能である。
【００２０】
本発明に係る雌型継手部材は、以上に説明した通りであるが、これに限定されるものではない。例えば、図示の例では緩衝用筒状部材、連結部材、及び、閉塞部材を別々の部材として示しているが、これらは軟質の合成樹脂を射出成形により一体成形することができる。また、閉塞部材は、緩衝用筒状部材の前端開口に嵌合されるようにしたものを示したが、同開口に嵌合されるものではなく、単に、雌型継手部材の雄型継手部材挿入口に嵌合するようにしたものでもよく、また、逆に、緩衝用筒状部材の前端開口に嵌合されるようなものであれば、雄型継手部材挿入口に嵌合されないものでもよい。また、図示の例では、雄型継手部材を挿入するのに、操作スリーブを後方に動かす必要があるものを示したが、そのような操作スリーブの操作を必要としない、いわゆるワンタッチ式装着の形式のものでもよい。さらに、施錠ボールに換えてニードルでもよい。
【図面の簡単な説明】
【００２１】
【図１】雄型継手部材を連結していない状態の本発明に係る雌型継手部材の縦断面図である。
【図２】同雌型継手部材であって、雄型継手部材を連結するために操作スリーブを後退させた状態を示す縦断面図である。
【図３】同雌型継手部材であって、雄型継手部材が連結された状態の雌型継手部材の縦断面図である。
【図４】図１の雌型継手部材の右端面図である。
【符号の説明】
【００２２】
１０            雄型継手部材
１２            雌型継手部材  
Ｐ              導管
１８            第１筒状部材
２０            第２筒状部材
２２            雌型本体
２４            施錠ボール
２６            係合凹部
３０            操作スリーブ
３２            コイルバネ
３４            弁体
３６            コイルバネ
３８            弁座
４０            緩衝用筒状部材
４２            連結部材
４４            雄型継手部材挿入口
４６            閉塞部材
４０−１        前端開口
４２−１        湾曲部分
４６−１        突起部分
４６−２        摘み突起
【図１】
2006170346.tif 000003
【図２】
2006170346.tif 000004
【図３】
2006170346.tif 000005
【図４】
2006170346.tif 000006
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
前端から後方に延びる所定長さ部分が雄型継手部材を受け入れるための雄型継手部材挿入口とされている貫通孔を有する筒状の雌型継手部材と、該雌型継手部材の外周に可動に取り付けられ当該雌型継手部材に挿入される雄型継手部材の固定・固定解除操作用の操作スリーブとを有する、管継手における雌型継手部材であって、
操作スリーブの外周に固定された緩衝用筒状部材と、
前記雌型継手部材の雄型継手部材挿入口を開放可能に閉塞する閉塞部材と、
緩衝用筒状部材と閉塞部材とを連結し、閉塞部材を、緩衝用筒状部材に連結した状態で、雄型継手部材挿入口に対して閉塞・閉塞解除できるようにする連結部材と
を有することを特徴とする雌型継手部材。
【請求項２】
前記緩衝用筒状部材が、前記操作スリーブの前端よりも前方に延び、
前記閉塞部材が、該緩衝用筒状部材の前端開口に嵌合されて、前記雄型継手部材挿入口を閉塞するようにした
ことを特徴とする請求項１に記載の雌型継手部材。
【請求項３】
前記閉塞部材が、雄型継手部材挿入口を閉塞する状態において、前記雌型継手部材の前端面に当接される円盤状部分、及び、該円盤状部分の一側面に設けられ、前記雄型継手部材挿入口に嵌合される部分を有する
ことを特徴とする請求項１又は２に記載の雌型継手部材。
【請求項４】
前記連結部材が、前記閉塞部材を前記緩衝用筒状部材に対して枢動可能に連結するようにしたことを特徴とする請求項３に記載の雌型継手部材。
【請求項５】
前記操作スリーブを軸線方向後方に変位させることにより、前記緩衝用筒状部材が前記雌型継手部材の前記前端面及び前記閉塞部材に対して相対的に軸線方向後方へ変位されるとともに、前記閉塞部材が前記雌型継手部材の前記前端面によって軸線後方への変位を阻止されることにより、該閉塞部材が該緩衝用筒状部材に対して枢動して前記雄型継手部材挿入口の閉塞を解除するようにしたことを特徴とする請求項４に記載の雌型継手部材。
【手続補正２】
【補正対象書類名】明細書
【補正対象項目名】０００６
【補正方法】変更
【補正の内容】
【０００６】
即ち、本発明は、
前端から後方に延びる所定長さ部分が雄型継手部材を受け入れるための雄型継手部材挿入口とされている貫通孔を有する筒状の雌型継手部材と、該雌型継手部材の外周に可動に取り付けられ当該雌型継手部材に対して挿入される雄型継手部材の固定・固定解除操作用の操作スリーブとを有する、管継手における雌型継手部材であって、
操作スリーブの外周に固定された緩衝用筒状部材と、
前記雌型継手部材の雄型継手部材挿入口を開放可能に閉塞する閉塞部材と、
緩衝用筒状部材と閉塞部材とを連結し、閉塞部材を、緩衝用筒状部材に連結した状態で、雄型継手部材挿入口に対して閉塞・閉塞解除できるようにする連結部材と
を有することを特徴とする雌型継手部材を提供する。
【手続補正３】
【補正対象書類名】明細書
【補正対象項目名】０００７
【補正方法】変更
【補正の内容】
【０００７】
具体的には、
前記緩衝用筒状部材が、前記操作スリーブの前端よりも前方に延び、
前記閉塞部材が、該緩衝用筒状部材の前端開口に嵌合されて、前記雄型継手部材挿入口を閉塞するようにすることができる。
【手続補正４】
【補正対象書類名】明細書
【補正対象項目名】０００８
【補正方法】変更
【補正の内容】
【０００８】
また、別の具体例では、
前記閉塞部材が、雄型継手部材挿入口を閉塞する状態において、前記雌型継手部材の前端面に当接される円盤状部分、及び、該円盤状部分の一側面に設けられ、前記雄型継手部材挿入口に嵌合される部分を有する。
【手続補正５】
【補正対象書類名】明細書
【補正対象項目名】００１０
【補正方法】変更
【補正の内容】
【００１０】
連結部材をその様に構成して、操作スリーブを軸線方向後方に変位させることにより、前記緩衝用筒状部材を前記雌型継手部材の前記前端面及び前記閉塞部材に対して相対的に軸線方向後方へ変位させるとともに、閉塞部材が前記雌型継手部材の前記前端面によって軸線後方への変位を阻止されるようにすることにより、該閉塞部材が該緩衝用筒状部材に対して枢動して前記雄型継手部材挿入口の閉塞を解除するようにすることができる。